(57)【特許請求の範囲】
【請求項１】
未読電子メールまたは電話の不在着信があるか否かを監視する状態監視部と、
前記未読電子メールまたは前記不在着信がある場合に、所定の順序で発信者ごとに対応付けられた発光色を発光部で発光させる発光順序制御部と、を有し、
前記発光順序制御部は、前記発信者ごとの前記発光色の発光の前または後に、所定の組み合わせの色のパターンを発光させることを特徴とする情報処理端末装置。
【請求項２】
前記発光順序制御部は、前記未読電子メールの受信順または前記不在着信の着信順に応じて、前記発光色の発光順序を決定することを特徴とする請求項１記載の情報処理端末装置。
【請求項３】
前記発光順序制御部は、前記発信者ごとの前記発光色の発光を、所定期間の消灯時間を挟んで繰り返させることを特徴とする請求項１または２に記載の情報処理端末装置。
【請求項４】
前記発光順序制御部は、前記未読電子メールまたは前記不在着信が参照された場合には、参照された該未読電子メールまたは該不在着信の前記発信者に対応した前記発光色の発光を停止させることを特徴とする請求項１乃至３の何れか一項に記載の情報処理端末装置。
【請求項５】
前記発光順序制御部は、参照された前記未読電子メールが、再び未読状態に指定された場合には、該未読電子メールの受信時刻に応じた発光順で、未参照状態に指定された該未読電子メールの前記発信者に対応した前記発光色の発光を行うことを特徴とする請求項１乃至４の何れか一項に記載の情報処理端末装置。
【請求項６】
情報処理端末装置において、状態監視部は、未読電子メールまたは電話の不在着信があるか否かを監視し、
前記情報処理端末装置において、発光順序制御部は、前記未読電子メールまたは前記不在着信がある場合に、所定の順序で発信者ごとに対応付けられた発光色を発光部で発光させ、前記発信者ごとの前記発光色の発光の前または後に、所定の組み合わせの色のパターンを発光させることを特徴とする不在着信または未読の電子メールの通知方法。
【請求項７】
前記発光順序制御部は、参照された前記未読電子メールが、再び未読状態に指定された場合には、該未読電子メールの受信時刻に応じた発光順で、未参照状態に指定された該未読電子メールの前記発信者に対応した前記発光色の発光を行うことを特徴とする請求項６記載の不在着信または未読の電子メールの通知方法。
【発明の詳細な説明】
【技術分野】
【０００１】
本発明は、情報処理端末装置及び不在着信または未読の電子メールの通知方法に関し、特に、電子メールや通話機能を有する情報処理端末装置及び不在着信または未読の電子メールの通知方法に関する。
【背景技術】
【０００２】
従来の携帯電話機やノートブック型のＰＣ（Personal Computer）などの情報処理端末装置において、電話の着信中や電子メール（以下単にメールという）の受信中に、発信者を容易に識別するために、電話帳に設定された発光色で発光を行う手法が知られている（例えば特許文献１，２，３参照）。
【０００３】
一方、電話の不在着信があった場合（電話の着信をユーザが受けとれなかった場合）、もしくは未読メールがある場合に、それらを不在着信情報として蓄積する。そして、システム側で予め設定されている色でＬＥＤ（Light Emitting Diode）を発光させることにより、ユーザに不在着信情報の存在を通知することが行われている。
【特許文献１】特開２００５−１６６０６６号公報
【特許文献２】特開２００１−３０８９７２号公報
【特許文献３】特開２００１−１７７６３０号公報
【発明の開示】
【発明が解決しようとする課題】
【０００４】
しかし、不在着信や未読メールがある場合、システム設定色のみでの発光では、ユーザは、発信者、件数などを確認することができず、これらを確認するためには、ユーザ操作によりディスプレイなどを確認する必要があり不便であった。
【０００５】
上記の点を鑑みて、本発明者らはユーザが簡単に電話の不在着信や未読メールの発信者及び件数を確認できる情報処理端末装置及び不在着信または未読の電子メールの通知方法を提供することを目的とする。
【課題を解決するための手段】
【０００６】
上記目的を達成するために、以下のような情報処理端末装置が提供される。この情報処理端末装置は、未読電子メールまたは電話の不在着信があるか否かを監視する状態監視部と、前記未読電子メールまたは前記不在着信がある場合に、所定の順序で発信者ごとに対応付けられた発光色を発光部で発光させる発光順序制御部と、を有する。
【０００７】
また、上記目的を達成するために、以下のような不在着信または未読の電子メールの通知方法が提供される。
この方法では、状態監視部は、未読電子メールまたは電話の不在着信があるか否かを監視し、発光順序制御部は、前記未読電子メールまたは前記不在着信がある場合に、所定の順序で発信者ごとに対応付けられた発光色を発光部で発光させる。
【発明の効果】
【０００８】
ユーザが簡単に電話の不在着信や未読メールの発信者及び件数を確認できる。
【発明を実施するための最良の形態】
【０００９】
以下、本実施の形態を図面を参照して詳細に説明する。
図１は、本実施の形態の情報処理端末装置の主要部の機能ブロック図である。
本実施の形態の情報処理端末装置は、ユーザインタフェース部１０、電話帳制御部１１、メール制御部１２、電話制御部１３、不在着信制御部１４、状態監視部１５、発光順序制御部１６、ＬＥＤ制御部１７を有している。
【００１０】
ユーザインタフェース部１０は、センサなどを有し、ユーザからのキー入力などにより所定のコマンドを入力する。また、本実施の形態の情報処理端末装置が、折り畳み式の携帯電話機や、ノートブック型のＰＣなどの場合、機体が折り畳まれた状態（閉じられた状態）か、開かれた状態かを検知する。
【００１１】
電話帳制御部１１は、図示しないメモリに記憶される電話帳データの作成、更新、呼び出しなどの制御をユーザインタフェース部１０からのコマンドに応じて行う。
メール制御部１２は、ユーザインタフェース部１０からのコマンドに応じてメールの送受信の制御を行うとともに、電話帳制御部１１と連携して電話帳データを読み出し、発信者を特定する。また、メールの参照状況（未読状態か既読状態か）を管理する。
【００１２】
電話制御部１３は、ユーザインタフェース部１０からのコマンドに応じて電話の通話を制御する。また、電話帳制御部１１と連携して電話帳データを読み出し、発信者を特定する。
【００１３】
不在着信制御部１４は、電話制御部１３より不在着信が発生した旨の信号を受けとると、電話帳制御部１１で読み出された電話帳データをもとに不在着信履歴データを作成して記憶する。
【００１４】
状態監視部１５は、メール制御部１２、電話制御部１３及び不在着信制御部１４の状態を監視し、未読メールや電話の不在着信があるか否かを検出する。
発光順序制御部１６は、未読メールや電話の不在着信がある場合に、電話帳制御部１１で呼び出された電話帳データを参照して、発信者ごとに対応付けられた発光色（以下ＬＥＤ色という）を取得する。そして、発信者ごとのＬＥＤ色を、所定の順序でＬＥＤ１７ａに発光させるように、ＬＥＤ制御部１７に指示する。
【００１５】
ＬＥＤ制御部１７は、ＬＥＤ１７ａの発光または消灯を制御する。たとえば、発光順序制御部１６で決定された発光順で、複数のＬＥＤ色を発光するように制御する。ＬＥＤ制御部１７は、ユーザインタフェース部１０のセンサなどにより周囲の明るさを検知して、ＬＥＤ１７ａで発光する光の輝度の調整などを行うようにしてもよい。また、機体が折り畳まれた状態（閉じられた状態）か、開かれた状態かに応じて、発光の有無を制御するようにしてもよい。
【００１６】
図２は、本実施の形態の情報処理端末装置の具体的なハードウェア構成例を示す図である。
本実施の形態の情報処理端末装置は、たとえば、携帯電話機であり、メモリ２０、電源２１、ユーザインタフェース部２２、画面表示部２３、音声制御部２４、ＬＥＤ２５、モデム２６、ＲＦ（Radio Frequency）インタフェース部２７、ＣＰＵ（Central Processing Unit）２８を有している。
【００１７】
メモリ２０は、各種のデータやプログラムを記憶する。たとえば、電話帳データや、電話の着信履歴データ、メールの受信履歴データなどを記憶する。
図３は、電話帳データの例を示す図である。
【００１８】
電話帳データには、たとえば、電話帳のデータ番号（識別情報）である電話帳Ｉｎｄｅｘ番号、名前、電話番号、メールアドレス、ＬＥＤ色が登録されている。ＬＥＤ色は、システム側で設定されている複数の色からユーザの所望で選択可能である。
【００１９】
電源２１は、情報処理端末装置の各部に電源を供給する。
ユーザインタフェース部２２は、各種センサや入力キーなどであり、ユーザからのキー操作などにより所定のコマンドを入力する。また、本実施の形態の情報処理端末装置が、折り畳み式の携帯電話機や、ノートブック型のＰＣなどの場合、機体が折り畳まれた状態（閉じられた状態）か、開かれた状態かを検知する。
【００２０】
画面表示部２３は、たとえば、ＬＣＤ（Liquid Crystal Display）であり、各種情報を表示する。
音声制御部２４は、スピーカ２４ａなどから出力する音声を制御する。
【００２１】
ＬＥＤ２５は、１つまたは複数のＬＥＤ素子を有し複数のＬＥＤ色で発光する。ＬＥＤ２５は、たとえば、本実施の形態の情報処理端末装置が、折り畳み式の携帯電話機や、ノートブック型のＰＣなどの場合、機体が折り畳まれた状態（閉じられた状態）でもユーザが光を検知可能なように、機体の背面パネルなど設けられる。
【００２２】
モデム２６は通信の制御を行う。ＲＦインタフェース部２７はアンテナ２７ａを介して外部との通信を行う。
ＣＰＵ２８は、図１に示したような電話帳制御部１１、メール制御部１２、電話制御部１３、不在着信制御部１４、状態監視部１５、発光順序制御部１６、ＬＥＤ制御部１７などの機能を実現し、図２の情報処理端末装置の各部を制御する。
【００２３】
以下、本実施の形態の状態処理端末装置の動作を説明する。
図４は、不在着信が発生した場合のＬＥＤの発光パターンを示す図である。
まず、図３のような電話帳データに登録されている発信者Ａより着信が発生すると（時刻ｔ１）、電話制御部１３は、電話帳制御部１１に対し着信のあった発信者Ａの電話番号を通知して、電話帳データの電話帳Ｉｎｄｅｘ番号を取得する。ある期間、呼び出しが行われた後切断されると（時刻ｔ２）、不在着信制御部１４は、電話制御部１３より電話帳Ｉｎｄｅｘ番号を取得して、電話帳Ｉｎｄｅｘ番号と着信時刻をもとに不在着信履歴データを生成して記憶する。不在着信履歴データは、メモリ２０に記憶するようにしてもよい。
【００２４】
図５は、不在着信履歴データの例を示す図である。
図のように、不在着信履歴データには、電話帳Ｉｎｄｅｘ番号、着信時刻、不在着信の参照状況が管理されている。
【００２５】
不在着信が発生すると、状態監視部１５は、電話制御部１３より不在着信が発生したことと、電話帳Ｉｎｄｅｘ番号を取得して、これらを発光順序制御部１６に伝える。発光順序制御部１６は、電話帳制御部１１に電話帳Ｉｎｄｅｘ番号を伝え、ＬＥＤ色を問い合わせて取得する。その後、発光順序制御部１６は、取得したＬＥＤ色で発光させるようにＬＥＤ制御部１７に指示する。そして、たとえば、着信が切断されてから所定時間後（たとえば、５〜２０秒）に、ＬＥＤ１７ａで発信者ＡのＬＥＤ色（図３のように設定されている場合、ピンク）を発光させる（時刻ｔ３）。発光順序制御部１６は、その後、所定時間（たとえば、５〜２０秒）の消灯と、発信者ＡのＬＥＤ色の発光とを繰り返させる。
【００２６】
次に、電話帳データに登録されている発信者Ｂより着信が発生すると（時刻ｔ４）、電話制御部１３は、発信者Ａからの着信時と同様に、電話帳Ｉｎｄｅｘ番号を取得する。ある期間、呼び出しが行われた後切断されると（時刻ｔ５）、不在着信制御部１４は、電話制御部１３より電話帳Ｉｎｄｅｘ番号を取得して、電話帳Ｉｎｄｅｘ番号と着信時刻をもとに図５のような不在着信履歴データを生成して記憶する。
【００２７】
その後、状態監視部１５は、電話制御部１３より不在着信が発生したことと、電話帳Ｉｎｄｅｘ番号を取得して、不在着信数が変化したことと、電話帳Ｉｎｄｅｘ番号を発光順序制御部１６に伝える。発光順序制御部１６は、電話帳制御部１１に電話帳Ｉｎｄｅｘ番号を伝え、発信者ＢのＬＥＤ色を問い合わせて取得する。その後、発光順序制御部１６は、取得した発信者ＢのＬＥＤ色と既に取得している発信者ＡのＬＥＤ色とを続けて発光するようにＬＥＤ制御部１７に指示する。たとえば、最新の発信者ＢのＬＥＤ色（図３のように設定されている場合、イエロー）を最初に発光させ（時刻ｔ６）、次に、発信者ＡのＬＥＤ色を発光させるようにする（時刻ｔ７）。その後、発光順序制御部１６は、ＬＥＤ制御部１７に、所定時間の消灯と、発信者Ｂと発信者ＡのＬＥＤ色の発光とを繰り返させる。
【００２８】
これにより、ユーザは簡単に電話の不在着信の発信者及び件数を確認できる。また、着信順に応じて発光順序を決定することで、着信順も容易に認識することができる。
なお、電話の呼び出し中、発光順序制御部１６は、呼び出し中を示す他のＬＥＤ色の発光を行わせるようにしてもよいし、図３に示したような、発信者に対応付けられたＬＥＤ色を発光させるようにしてもよい。
【００２９】
次に、未読メールが発生した場合の情報処理端末装置の動作を説明する。
図６は、未読メールが発生した場合のＬＥＤの発光パターンを示す図である。
まず、電話帳データに登録されている発信者Ａよりメールを受信すると（時刻ｔ１０）、メール制御部１２は、電話帳制御部１１に対しメールの発信者Ａのメールアドレスを通知して、電話帳データの電話帳Ｉｎｄｅｘ番号を取得する。そして、メール制御部１２は、電話帳Ｉｎｄｅｘ番号と受信時刻をもとに未読メール受信履歴データを生成して記憶する。受信履歴データは、メモリ２０に記憶するようにしてもよい。
【００３０】
図７は、未読メール受信履歴データの例を示す図である。
図のように、未読メール受信履歴データには、電話帳Ｉｎｄｅｘ番号、受信時刻、メールの参照状況が管理されている。
【００３１】
状態監視部１５は、メール制御部１２より未読メールが発生したことと、電話帳Ｉｎｄｅｘ番号を取得して、これらを発光順序制御部１６に伝える。発光順序制御部１６は、電話帳制御部１１に電話帳Ｉｎｄｅｘ番号を伝え、ＬＥＤ色を問い合わせて取得する。その後、発光順序制御部１６は、取得したＬＥＤ色で発光させるようにＬＥＤ制御部１７に指示する。そして、たとえば、メールを受信してから所定時間後（たとえば、５〜２０秒）に、ＬＥＤ１７ａで発信者ＡのＬＥＤ色（図３のように設定されている場合、ピンク）を発光させる（時刻ｔ１１）。その後、発光順序制御部１６は、ＬＥＤ制御部１７に、所定時間（たとえば、５〜２０秒）の消灯と、発信者ＡのＬＥＤ色での発光とを繰り返させる。
【００３２】
次に、電話帳データに登録されている発信者Ｂよりメールを受信すると（時刻ｔ１２）、メール制御部１２は、発信者Ａからのメール受信時と同様にして電話帳Ｉｎｄｅｘ番号を取得する。その後、メール制御部１２は、電話帳Ｉｎｄｅｘ番号と受信時刻をもとに図５のように未読メール受信履歴データを生成して記憶する。
【００３３】
その後、状態監視部１５は、メール制御部１２より未読メール数が変化したことと、電話帳Ｉｎｄｅｘ番号を取得して、これらを発光順序制御部１６に伝える。発光順序制御部１６は、電話帳制御部１１に電話帳Ｉｎｄｅｘ番号を伝え、発信者ＢのＬＥＤ色を問い合わせて取得する。その後、発光順序制御部１６は、取得した発信者ＢのＬＥＤ色と既に取得している発信者ＡのＬＥＤ色とを続けて発光するようにＬＥＤ制御部１７に指示する。たとえば、最新の発信者ＢのＬＥＤ色（図３のように設定されている場合、イエロー）を最初に発光させ（時刻ｔ１３）、その後、発信者ＡのＬＥＤ色を点灯させるようにする（時刻ｔ１４）。その後、発光順序制御部１６は、ＬＥＤ制御部１７に、所定時間の消灯と、発信者Ｂと発信者ＡのＬＥＤ色の発光とを繰り返させる。
【００３４】
これにより、ユーザは簡単に未読メールの発信者及び件数を確認できる。また、受信順に応じて、発光順序を決定することで受信順も容易に認識することができる。
ところで、実際は、メールの受信と電話の着信とが交互に存在する場合がある。以下ではその場合の情報処理端末装置の動作を説明する。
【００３５】
図８は、不在着信と未読メールが混在する場合のＬＥＤの発光パターンを示す図である。
まず、発信者Ａから電話の着信があった場合について示している。この動作（時刻ｔ２０〜ｔ２２）については、図４で示した時刻ｔ１〜ｔ３の動作と同じである。その後、発信者Ｂからのメールを受信すると（時刻ｔ２３）、図６の時刻ｔ１２〜ｔ１４の動作と同様に、発信者ＢのＬＥＤ色を発光し（時刻ｔ２４）、続いて発信者ＡのＬＥＤ色を発光する（時刻ｔ２５）。その後、所定時間の消灯と、発信者Ｂと発信者ＡのＬＥＤ色の発光とを繰り返す。
【００３６】
続いて、図３のような電話帳データに登録されている発信者Ｃより着信が発生すると（時刻ｔ２６）、電話制御部１３は、発信者Ａからの着信時と同様にして電話帳Ｉｎｄｅｘ番号を取得する。ある期間、呼び出しが行われた後切断されると（時刻ｔ２７）、不在着信制御部１４は、電話制御部１３より電話帳Ｉｎｄｅｘ番号を取得して、電話帳Ｉｎｄｅｘ番号と着信時刻をもとに図５のような不在着信履歴データを生成して記憶する。
【００３７】
その後、状態監視部１５は、電話制御部１３より不在着信が発生したことと、電話帳Ｉｎｄｅｘ番号を取得して、これらを発光順序制御部１６に伝える。発光順序制御部１６は、電話帳制御部１１に電話帳Ｉｎｄｅｘ番号を伝え、発信者ＣのＬＥＤ色を問い合わせて取得する。その後、発光順序制御部１６は、取得した発信者ＣのＬＥＤ色と既に取得している発信者Ｂ及び発信者ＡのＬＥＤ色とを続けて発光するようにＬＥＤ制御部１７に指示する。たとえば、図３のようにＬＥＤ色が設定されている場合、発信者ＣのＬＥＤ色であるブルーを最初に発光させ（時刻ｔ２８）、その後、発信者ＢのＬＥＤ色であるイエローを発光させ（時刻ｔ２９）、最後に発信者ＡのＬＥＤ色であるピンクを発光する（時刻ｔ３０）。その後、発光順序制御部１６は、ＬＥＤ制御部１７に対して、所定時間の消灯と、発信者Ｃ、発信者Ｂ及び発信者ＡのＬＥＤ色の発光とを繰り返させる。
【００３８】
たとえば、時刻ｔ３１において、ユーザが発信者Ｂからのメールを参照した場合、メール制御部１２は、図７のような未読メール受信履歴データの参照状況を既読とする。状態監視部１５は、既読になったメールの発信者Ｂの電話帳Ｉｎｄｅｘ番号をメール制御部１２より取得して発光順序制御部１６に伝える。これにより、発光順序制御部１６は、ＬＥＤ制御部１７に対して、発信者ＢのＬＥＤ色の発光を停止させ、発信者ＣのＬＥＤ色の発光（時刻ｔ３２）、発信者ＡのＬＥＤ色の発光（時刻ｔ３３）の発光を繰り返させる。
【００３９】
また、一度参照した発信者Ｂのメールを備忘録として未読設定したい場合、ユーザインタフェース部１０にその旨の入力がなされると、メール制御部１２は、図７のような未読メール受信履歴データの参照情報を未読に戻す（時刻ｔ３４）。状態監視部１５は、未読になったメールの発信者Ｂの電話帳Ｉｎｄｅｘ番号と、受信時刻の情報を発光順序制御部１６に伝える。このとき他の未読メールの受信時刻または不在着信の着信時刻も発光順序制御部１６に伝える。または、未読メール発生または不在着信の発生時点で伝えておく。これにより、発光順序制御部１６は、ＬＥＤ制御部１７に対して、発信者ＣのＬＥＤ色の発光（時刻ｔ３５）、発信者ＢのＬＥＤ色の発光（時刻ｔ３６）、発信者ＡのＬＥＤ色の発光（時刻ｔ３７）の順で発光させる。その後は、所定時間の消灯とこれらの発光とを繰り返させる。
【００４０】
なお、受信時刻の情報は、メモリ２０に記憶される受信履歴データを参照して取得するようにしてもよい。
また、上記では未読メールを参照した場合について説明したが、不在着信を参照した場合についてもほぼ同様の動作となる。その場合、不在着信制御部１４は、図５で示したような不在着信履歴データの参照状況を変更し、状態監視部１５は参照した着信に対応した電話帳Ｉｎｄｅｘ番号を発光順序制御部１６に伝える。そして、発光順序制御部１６は、ＬＥＤ制御部１７に対して、参照した不在着信の発信者のＬＥＤ色の発光を停止させる。
【００４１】
以上のように、不在着信と未読メールが混在した場合にも、発信者、不在着信及び未読メールの総件数、着信または受信順を、１つのＬＥＤ２５からの発光パターンで容易にユーザが認識できる。
【００４２】
なお、図３の電話帳データにおいて、メール受信時と電話着信時のＬＥＤ色を別々に設定して、不在着信及び未読メールのそれぞれの件数を独立に認識できるようにしてもよい。
【００４３】
また、未読メールまたは不在着信がある場合と、電話着信中またはメール受信中に発光するＬＥＤ２５を１つで兼用するようにしてもよいが、それぞれを別々に設けるようにしてもよい。
【００４４】
図９は、携帯電話機の背面パネルの一例を示す図である。
たとえば、背面パネル３０に電話着信時またはメール受信時に発光するＬＥＤ３１の他に、未読メール用のＬＥＤ３２と、不在着信用のＬＥＤ３３を設けている。これにより、容易に未読メールと不在着信についてそれぞれ独立に、発信者、件数、着信順及び受信順を把握できる。
【００４５】
なお、上記では、異なる発信者により不在着信または未読メールが発生した場合について説明したが、連続して同じ発信者による不在着信または未読メールが発生した場合にも適用可能であることは言うまでもない。その場合、たとえば、同じＬＥＤ色が続けて発光される（区切りがわかる程度に所定間隔あけるようにしてもよい）。
【００４６】
また、発光時間や、消灯時間、発光パターンは、適宜変更するようにしてもよい。たとえば、着信回数やメール送受信回数に応じた優先度を設定し、優先度が高い発信者からの不在着信または未読メールがある場合のみ発光させる。または、優先度が高い発信者からの不在着信または未読メールがある場合に、その発信者と対応づけられたＬＥＤ色を最初に発光させるようにしてもよい。
【００４７】
また、最新の不在着信または未読メールの発信者に対応したＬＥＤ色を最後に発光させるようにしてもよい。
発光時間や消灯時間は、消費電力を考慮して決定すればよい。
【００４８】
なお、電話帳データに登録されていない電話番号やメールアドレスによる着信や受信があった場合、または電話番号が非通知の場合には、システムで設定されている所定の色（たとえば、白色）を発光させるようにすればよい。
【００４９】
また、他人がＬＥＤ色の発光から、未読メールや不在着信の発信者や件数などを容易に推測できないように、未読メールや不在着信のＬＥＤ色の発光の前または後に、所定の組み合わせのＬＥＤ色のパターンを発光するようにしてもよい。たとえば、未読メールや不在着信のＬＥＤ色の発光の前または後にレインボー色を発光するようにしてもよい。
【００５０】
図１０は、レインボー色を用いた場合のＬＥＤの発光パターンを示す図である。
まず、発信者Ａからの着信があると（時刻ｔ４０）、着信履歴が生成され（時刻ｔ４１）、着信が切断されてから所定時間後に、発信者ＡのＬＥＤ色が発光される（時刻ｔ４２）。発光順序制御部１６は、ＬＥＤ制御部１７に対して、発信者ＡのＬＥＤ色の発光に続いて、レインボー色の赤、橙、黄、緑、青、藍、紫をそれぞれ順番に発光させる（時刻ｔ４３〜時刻ｔ４４）。その後、所定時間の消灯と、これらの発光とを繰り返させる。
【００５１】
たとえば、レインボー色の青の発光時に発信者Ｂからの着信があった場合（時刻ｔ４５）、発光順序制御部１６は、ＬＥＤ制御部１７に対して、レインボー色の発光は停止させる。そして、着信が切断（時刻ｔ４６）されてから所定時間後に、発信者ＢのＬＥＤ色が発光され（時刻ｔ４７）、続けて発信者ＡのＬＥＤ色が発光され（時刻ｔ４８）、レインボー色が発光される（時刻ｔ４９）。
【００５２】
このように、不在着信や未読メールの発信者と関係のない組み合わせのＬＥＤ色のパターンを発光させることで、他人には、あたかもＬＥＤ１７ａがイルミネーション表示しているようにみせる。これにより、他人が、ＬＥＤ１７ａの発光からどのような不在着信や未読メールがあるか推測することを困難にすることができ、プライバシー保護の向上が期待できる。
【００５３】
以下、図１の各部の動作をシーケンス図によりまとめる。
図１１は、不在着信発生時のＬＥＤの発光動作を説明するシーケンス図である。
着信が発生すると電話制御部１３は、電話帳制御部１１に対し電話帳Ｉｎｄｅｘ番号を問合せる。電話帳制御部１１は、電話帳Ｉｎｄｅｘ番号を電話制御部１３に通知する。ユーザが着信に応答せず不在着信となると、図１１では図示していないが不在着信制御部１４により、図５で示したような不在着信履歴データが作成される。電話制御部１３は、不在着信の発生と、取得した電話帳Ｉｎｄｅｘ番号とを状態監視部１５に通知する。状態監視部１５は、不在着信数の変化と電話帳Ｉｎｄｅｘ番号とを発光順序制御部１６に通知する。発光順序制御部１６は、電話帳制御部１１に対し取得した電話帳Ｉｎｄｅｘ番号を通知し、ＬＥＤ色を問合せる。電話帳制御部１１は、発光順序制御部１６にＬＥＤ色を通知する。その後、発光順序制御部１６は、発光順序制御を行い、ＬＥＤ制御部１７に対して、ＬＥＤの発光要求と、ＬＥＤ色の通知を行う。ＬＥＤ制御部１７は、通知されたＬＥＤ色での発光を行う。
【００５４】
図１２は、不在着信の参照時のＬＥＤの消灯動作を説明するシーケンス図である。
不在着信が参照されると、不在着信制御部１４は、不在着信数が変化した（減少した）ことと、電話帳Ｉｎｄｅｘ番号を状態監視部１５に通知する。状態監視部１５は、不在着信数の変化と電話帳Ｉｎｄｅｘ番号とを発光順序制御部１６に通知する。発光順序制御部１６は、電話帳制御部１１に対し取得した電話帳Ｉｎｄｅｘ番号を通知し、ＬＥＤ色を問合せる。電話帳制御部１１は、発光順序制御部１６にＬＥＤ色を通知する。その後、発光順序制御部１６は、ＬＥＤ制御部１７に対して、ＬＥＤの消灯要求と、消灯するＬＥＤ色の通知を行う。ＬＥＤ制御部１７は、通知されたＬＥＤ色を消灯する。
【００５５】
なお、未読メールの発生と、未読メールの参照時の動作については、図１１、図１２の電話制御部１３、不在着信制御部１４とほぼ同様の動作をメール制御部１２が行うものであり、図示を省略する。
【００５６】
図１３は、未読メール設定時のＬＥＤの発光動作を説明するシーケンス図である。
既読メールが未読メールに設定されると、メール制御部１２は、状態監視部１５に対して、未読メール数が変化したことと、未読メールの発信者の電話帳Ｉｎｄｅｘ番号を通知する。状態監視部は未読メール数の変化と、電話帳Ｉｎｄｅｘ番号を発光順序制御部１６に通知する。発光順序制御部１６は、電話帳制御部１１に対し取得した電話帳Ｉｎｄｅｘ番号を通知し、ＬＥＤ色を問合せる。電話帳制御部１１は、発光順序制御部１６にＬＥＤ色を通知する。その後、発光順序制御部１６は、発光順序制御を行い、ＬＥＤ制御部１７に対して、ＬＥＤの発光要求と、発光するＬＥＤ色の通知を行う。ＬＥＤ制御部１７は、通知されたＬＥＤ色を発光する。
【００５７】
以上、本実施の形態の情報処理端末装置及び不在着信または未読メールの通知方法について詳細に説明してきたが、本願は上記の記載に限定されるものではない。たとえば、情報処理端末装置として、携帯電話機やノートブック型のＰＣを想定して説明してきたが、通信機能を備えたＰＤＡ（Personal Digital Assistant）や、デスクトップ型のＰＣなどにも適用できることは言うまでもない。
【００５８】
以上の実施の形態に関し、さらに以下の付記を開示する。
（付記１）  未読電子メールまたは電話の不在着信があるか否かを監視する状態監視部と、
前記未読電子メールまたは前記不在着信がある場合に、所定の順序で発信者ごとに対応付けられた発光色を発光部で発光させる発光順序制御部と、
を有することを特徴とする情報処理端末装置。
【００５９】
（付記２）  前記発光順序制御部は、前記未読電子メールの受信順または前記不在着信の着信順に応じて、前記発光色の発光順序を決定することを特徴とする付記１記載の情報処理端末装置。
【００６０】
（付記３）  前記発光順序制御部は、前記発信者ごとの前記発光色の発光を、所定期間の消灯時間を挟んで繰り返させることを特徴とする付記１に記載の情報処理端末装置。
（付記４）  前記発光順序制御部は、前記発信者ごとの前記発光色の発光の前または後に、所定の組み合わせの色のパターンを発光させることを特徴とする付記１記載の情報処理端末装置。
【００６１】
（付記５）  前記発光順序制御部は、前記未読電子メールまたは前記不在着信が参照された場合には、参照された該未読電子メールまたは該不在着信の前記発信者に対応した前記発光色の発光を停止させることを特徴とする付記１記載の情報処理端末装置。
【００６２】
（付記６）  前記発光順序制御部は、参照された前記未読電子メールが、再び未読状態に指定された場合には、該未読電子メールの受信時刻に応じた発光順で、未参照状態に指定された該未読電子メールの前記発信者に対応した前記発光色の発光を行うことを特徴とする付記１記載の情報処理端末装置。
【００６３】
（付記７）  状態監視部は、未読電子メールまたは電話の不在着信があるか否かを監視し、
発光順序制御部は、前記未読電子メールまたは前記不在着信がある場合に、所定の順序で発信者ごとに対応付けられた発光色を発光部で発光させることを特徴とする不在着信または未読の電子メールの通知方法。
【図面の簡単な説明】
【００６４】
【図１】本実施の形態の情報処理端末装置の主要部の機能ブロック図である。
【図２】本実施の形態の情報処理端末装置の具体的なハードウェア構成例を示す図である。
【図３】電話帳データの例を示す図である。
【図４】不在着信が発生した場合のＬＥＤの発光パターンを示す図である。
【図５】不在着信履歴データの例を示す図である。
【図６】未読メールが発生した場合のＬＥＤの発光パターンを示す図である。
【図７】未読メール受信履歴データの例を示す図である。
【図８】不在着信と未読メールが混在する場合のＬＥＤの発光パターンを示す図である。
【図９】携帯電話機の背面パネルの一例を示す図である。
【図１０】レインボー色を用いた場合のＬＥＤの発光パターンを示す図である。
【図１１】不在着信発生時のＬＥＤの発光動作を説明するシーケンス図である。
【図１２】不在着信の参照時のＬＥＤの消灯動作を説明するシーケンス図である。
【図１３】未読メール設定時のＬＥＤの発光動作を説明するシーケンス図である。
【符号の説明】
【００６５】
１０  ユーザインタフェース部
１１  電話帳制御部
１２  メール制御部
１３  電話制御部
１４  不在着信制御部
１５  状態監視部
１６  発光順序制御部
１７  ＬＥＤ制御部
１７ａ  ＬＥＤ
【図１】
0005136149.tif 000002
【図２】
0005136149.tif 000003
【図３】
0005136149.tif 000004
【図４】
0005136149.tif 000005
【図５】
0005136149.tif 000006
【図６】
0005136149.tif 000007
【図７】
0005136149.tif 000008
【図８】
0005136149.tif 000009
【図９】
0005136149.tif 000010
【図１０】
0005136149.tif 000011
【図１１】
0005136149.tif 000012
【図１２】
0005136149.tif 000013
【図１３】
0005136149.tif 000014